(57)【要約】      （修正有）【課題】  遮光のために不透明な容器本体を具えた液注出容器において、内容液の注出時に、内容液が残り少なくなり、一定量の残量となったことを、容器外から視認できるようにしたポンプ付底上げタイプのクリーム状液注出容器を提供する。【解決手段】  口筒部と肩部と胴周壁とからなる不透明な容器本体と、容器本体の口筒部に取着したポンプと、容器本体の胴周壁内に、上昇可能に嵌挿された摺動底板と、窓孔部または透明底壁を設けた底蓋とからなる液注出容器であって、摺動底板は、胴周壁内に嵌挿される弾性周壁と容器本体の肩部内面と係合可能な傾斜板とを有する摺動外筒部と、該摺動外筒部に摺動可能に装着される内筒部とを備え、摺動外筒部に内容液の残量を示す表示を設け、内筒部の外周下端に表示指示部を設け、摺動底板の上昇時に、摺動外筒部と内筒部とを相対的に回動させて、表示指示部の指示する表示を容器外から視認できるようにしたことを特徴とする。【選択図】  図１
2007119047.tif 000002
【特許請求の範囲】
【請求項１】
口筒部と肩部と胴周壁とからなる不透明な容器本体と、容器本体の口筒部に取着され、上端にノズルヘッドを取着したポンプと、容器本体の胴周壁内に、上昇可能に嵌挿された摺動底板と、容器本体の胴周壁下端に取着され、窓孔部または透明底壁を設けた底蓋とからなる液注出容器であって、
摺動底板は、容器本体の胴周壁内に嵌挿される弾性周壁と容器本体の肩部内面と係合可能な傾斜板とを有する摺動外筒部と、該摺動外筒部に摺動可能に装着される内筒部とを備え、
摺動外筒部に内容液の残量を示す表示を設け、内筒部の外周下端に表示指示部を設け、
摺動底板の上昇時に、摺動外筒部と内筒部とを相対的に回動させて、表示指示部の指示する表示を容器外から容器内を視認できるようにしたことを特徴とする液注出容器。
【請求項２】
ポンプのシリンダーの底壁に吸込口と係合リブを配設し、
摺動外筒部が、弾性周壁と傾斜板とともに、内周壁とからなり、傾斜板裏面に内容液の残量を示す表示を設け、
内筒部が、摺動外筒部の内周壁内周に摺動可能に装着される有底の回転筒部を備え、
回転筒部の底壁上面に、前記係合リブに係合する傾斜面を具えた傾斜突部を配設し、回転筒部の外周下端に傾斜板裏面の表示を指示する表示指示部を配設し、
係合リブと傾斜突部の係合により回転筒部を廻動させるようにしたことを特徴とする請求項１記載の液注出容器。
【請求項３】
ポンプのシリンダーの底壁に吸込口と係合リブを配設し、
摺動外筒部が、弾性周壁と傾斜板とともに、内面に傾斜突条を配設した内周壁を備え、
内筒部が、外周に前記傾斜突条と係合する係合凸部を設け、その底壁上面に係合リブと係合する回転止めリブを設け、内筒部の外周下端に摺動外筒部の下面の表示を指示する表示指示部を配設し、
前記係合凸部と傾斜突条との係合により摺動外筒部を廻動させるようにしたことを特徴とする請求項１記載の液注出容器。
【請求項４】
ポンプのシリンダーの底壁に吸込口と係合リブを配設し、外周面下端に回り止めリブを突設し、
摺動外筒部が、弾性周壁と傾斜板とともに、内面に傾斜突条を配設した内周壁を備え、
内筒部が、外周に前記傾斜突条と係合する係合凸部を設け、その内周に前記回り止めリブと係合する係止リブを設け、内筒部の外周下端に摺動外筒部の下面の表示を指示する表示指示部を配設し、
前記係合凸部と傾斜突条との係合により摺動外筒部を廻動させるようにしたことを特徴とする請求項１記載の液注出容器。
【請求項５】
摺動外筒部の内周壁に係合突条を設け、内筒部の外周上端部に前記係合突条の下面に係合する係合突部を複数配設したことを特徴とする請求項１〜３記載の液注出容器。
【発明の詳細な説明】
【技術分野】
【０００１】
本発明は、液注出容器、とくに不透明な容器本体に収納した内容物の残量を視認可能としたポンプ付底上げタイプのクリーム状液注出容器に関するものである。
【背景技術】
【０００２】
不透明な容器本体に内容物を収納したポンプ付底上げタイプのクリーム状液注出容器において、摺動底板が一定の上昇位置に達したときに、摺動底板の下面に装着した球体を落下させ、その状態で容器を振ると、球体が容器内面に衝突して音を発生するようにした容器は、従来より知られている（例えば、特許文献１参照）。
【特許文献１】特開２００２−３２０８８６号公報
【発明の開示】
【発明が解決しようとする課題】
【０００３】
しかしながら、上記特許文献１記載の容器では、摺動底板の球体保持部が、ポンプのシリンダー下端に圧接したときに、球体が落下するようにしており、そのため、内容液が無くなったときはわかるが、内容液が少なくなり、一定の残量となったときを知ることはできなかった。
そのため、新しい容器を求め、それとの交換を準備しておく時期がわからないという問題が生じるおそれがあった。
【０００４】
本発明は、上記問題を解決することを課題とし、遮光のために不透明な容器本体を具えた液注出容器において、内容液の注出時に、内容液が残り少なくなり、一定量の残量となったことを、容器外から視認することで知ることができるようにしたポンプ付底上げタイプのクリーム状液注出容器を提供することを目的とする。
【課題を解決するための手段】
【０００５】
本発明は、上記の課題を解決するため、液注出容器として、口筒部と肩部と胴周壁とからなる不透明な容器本体と、容器本体の口筒部に取着され、上端にノズルヘッドを取着したポンプと、容器本体の胴周壁内に、上昇可能に嵌挿された摺動底板と、容器本体の胴周壁下端に取着され、窓孔部または透明底壁を設けた底蓋とからなる液注出容器であって、摺動底板は、容器本体の胴周壁内に嵌挿される弾性周壁と容器本体の肩部内面と係合可能な傾斜板とを有する摺動外筒部と、該摺動外筒部に摺動可能に装着される内筒部とを備え、摺動外筒部に内容液の残量を示す表示を設け、内筒部の外周下端に表示指示部を設け、摺動底板の上昇時に、摺動外筒部と内筒部とを相対的に回動させて、表示指示部の指示する表示を容器外から容器内を視認できるようにしたことを特徴とする構成を採用する
【０００６】
内筒部を回転させる実施例として、ポンプのシリンダーの底壁に吸込口と係合リブを配設し、摺動外筒部が、弾性周壁と傾斜板とともに、内周壁とからなり、傾斜板裏面に内容液の残量を示す表示を設け、内筒部が、摺動外筒部の内周壁内周に摺動可能に装着される有底の回転筒部を備え、回転筒部の底壁上面に、前記係合リブに係合する傾斜面を具えた傾斜突部を配設し、回転筒部の外周下端に傾斜板裏面の表示を指示する表示指示部を配設し、係合リブと傾斜突部の係合により回転筒部を廻動させるようにしたことを特徴とする構成を採用する。
【０００７】
摺動外筒部を回転させる実施例として、ポンプのシリンダーの底壁に吸込口と係合リブを配設し、摺動外筒部が、弾性周壁と傾斜板とともに、内面に傾斜突条を配設した内周壁を備え、内筒部が、外周に前記傾斜突条と係合する係合凸部を設け、その底壁上面に係合リブと係合する回転止めリブを設け、内筒部の外周下端に摺動外筒部の下面の表示を指示する表示指示部を配設し、前記係合凸部と傾斜突条との係合により摺動外筒部を廻動させるようにしたことを特徴とする構成を採用する。
【０００８】
また、摺動外筒部を回転させる別実施例として、ポンプのシリンダーの底壁に吸込口と係合リブを配設し、外周面下端に回り止めリブを突設し、摺動外筒部が、弾性周壁と傾斜板とともに、内面に傾斜突条を配設した内周壁を備え、内筒部が、外周に前記傾斜突条と係合する係合凸部を設け、その内周に前記回り止めリブと係合する係止リブを設け、内筒部の外周下端に摺動外筒部の下面の表示を指示する表示指示部を配設し、前記係合凸部と傾斜突条との係合により摺動外筒部を廻動させるようにしたことを特徴とする構成を採用する。
【０００９】
摺動底板の摺動外筒部に対して内筒部が上昇しないように、摺動外筒部の内周壁に係合突条を設け、内筒部の外周上端部に前記係合突条の下面に係合する係合突部を複数配設したことを特徴とする構成を採用する。
【発明の効果】
【００１０】
ポンプのシリンダーの底壁に吸込口と係合リブを配設し、摺動底板に、容器本体の胴周壁内に嵌挿される弾性周壁と容器本体の肩部内面と係合可能な傾斜板とを有する摺動外筒部と、該摺動外筒部の摺動可能に装着される内筒部とを備え、摺動外筒部に内容液の残量を示す表示を設け、内筒部の外周下端に表示指示部を設け、摺動底板の上昇時に、摺動外筒部と内筒部とを相対的に回動させて、表示指示部の指示する表示を容器外から容器内を視認できるようにしたので、内容液の一定の残量を知ることができる。
【発明を実施するための最良の形態】
【００１１】
次に、本発明の液注出容器について実施例をあげ、図面を参照して説明する。
【実施例１】
【００１２】
図１において、Ａは容器本体、Ｂは上端にノズルヘッドＣを取着したポンプ、Ｄは摺動底板、Ｅは底蓋である。
容器本体Ａと摺動底板Ｄは、不透明な合成樹脂で形成され、内容液として遮光の必要なクリーム状液が収納されている。
【００１３】
容器本体Ａは、口筒部１と肩部２，下端を開放端とした胴周壁３とからなっており、口筒部１には、ねじ４が螺設されている。
胴周壁３下端内周には、底蓋Ｅの取付部５が形成されている。
【００１４】
ポンプＢは、シリンダー１０とピストン１１を具えており、シリンダー１０は、ねじ４に螺合するねじ１２を螺設し、ノズルヘッドＣの上下動を案内するガイド筒１３を具えた取付キャップ１４によって、容器本体Ａの口筒部１に取着されている。
【００１５】
シリンダー１０下端の底壁１５には、図１、２に示すように、中央に吸込口１６が穿設され、底壁１５の底面には、係合リブ１７が配設されている。
吸込口１６の底壁１５の上面側には、吸込弁１８が設けられている。
【００１６】
ピストン１１の下端部周面には、ピストン弁２０が配設され、ピストン１１の上下動に応じて、シリンダー室からピストン１１内に、開口を通じて内容液を圧入するようになっている。
ピストン１１の上部のステムには、ノズル２１を設けたノズルヘッドＣが取付筒２２を介して装着されており、ノズルヘッドＣと取付キャップ１４との間には、スプリング２３が弾装されている。
【００１７】
ポンプＢ、ノズルヘッドＣは、ノズルヘッドＣを上下動することによってノズル２１より内容液を吐出できるものであればよく、その構成は、従来より公知のものを採用することができ、前記のポンプ装置に限定されない。
【００１８】
摺動底板Ｄは、図１に示すように、容器本体Ａの胴周壁３内周を摺動する摺動外筒部Ｄ１と、摺動外筒部Ｄ１の中央に装着される内筒部を構成する有底の回転筒部Ｄ２とからなっている。
【００１９】
摺動外筒部Ｄ１は、図１、３に示すように、容器本体Ａの肩部２の傾斜角度とほぼ一致するように形成された傾斜板２５と、傾斜板２５の外縁に連設され、胴周壁３内面に摺動自在に嵌挿されるスカート状の弾性周壁２６と、傾斜板２５の内縁に連設され、回転筒部Ｄ２を装着する内周壁２７とからなっている。
傾斜板２５の下面には、内容液の残量を表示する表示２５Ａが設けられている。
内周壁２７の下部には、縮径されたシール部３０が形成され、内周壁２７の上部内周には、係合突条３１が配設されている。
【００２０】
回転筒部Ｄ２は、図１、４に示すように、摺動外筒部Ｄ１の内周壁２７のシール部３０内周に摺動自在に嵌挿される筒壁３５と、筒壁３５の内周下方部に連設される底壁３６とからなっている。
筒壁３５の上端外周には、内周壁２７の係合突条３１下面と係合する係合突部３７が複数突設されており、筒壁３５の下端外周には、表示指示部３８が配設されている。
係合突部３７は、回転筒部Ｄ２が摺動外筒部Ｄ１の内周壁２７に嵌挿される際に、邪魔にならない高さで形成されている。
【００２１】
底壁３６の上面には、右回転下方に傾斜する傾斜面３９ａが形成された傾斜突部３９が、容器組立の際に、シリンダー１０の係合リブ１７の最頂部の直下に、傾斜面３９ａの最上部付近がくるように配設されている。
【００２２】
底蓋Ｅは、図１に示すように、中央部に摺動底板Ｄの回転筒部Ｄ２の底壁３６底面を載置する保持筒４０を立設した底板４１と、底板４１の周縁部に立設された側周壁４２とからなっており、側周壁４２の外周面には、容器本体Ａの胴周壁３の下端の取付部５に係合する係合部４３が形成されている。
底板４１には、保持筒４０の外周に窓孔部４４が配設され、容器内が容器外から視認できるようになっている。
【００２３】
次に、本液注出容器の作用効果について説明する。
本発明の液注出容器には、内容物として、クリーム状液が収納され、ノズルヘッドＣの押下げ操作により、容器本体Ａ内の内容液がポンプＢによって吸上げられ、ノズル２１から吐出される。
【００２４】
内容液の吸上げに応じて容器本体Ａ内が負圧となり、摺動底板Ｄが上昇するとともに、底蓋Ｅの窓孔部４４より容器本体Ａ内の摺動底板Ｄ下方に大気が導入される。
摺動底板Ｄの回転筒部Ｄ２は、筒壁３５の外周上端の係合突部３７上面が摺動外筒部Ｄ１の内周壁２７の係合突条３１下面に係合しているので、容器本体Ａ内の負圧により、摺動外筒部Ｄ１に対して回転筒部Ｄ２だけが上昇し、摺動外筒部Ｄ１から抜けるということはなく、 摺動外筒部Ｄ１と回転筒部Ｄ２が一緒に上昇する。
【００２５】
摺動底板Ｄが一定の位置まで上昇すると、ポンプＢのシリンダー１０の底壁１５下面の係合リブ１７が、回転筒部Ｄ２の底壁３６上面の傾斜突部３９の傾斜面３９ａに当接し、シリンダー１０下面と、回転筒部Ｄ２の底板３６上面との間に間隙を形成する。
この間隙によって、摺動底板Ｄ上の内容液がシリンダー１０の吸込口１６内に流入される。
【００２６】
さらに、摺動底板Ｄが上昇すると、図５に示すように、回転筒部Ｄ２の底壁３６上面の傾斜突部３９が上昇して係合リブ１７に当接し、傾斜面３９ａ上で摺動することで、回転筒部Ｄ２自体に回転力が付与される。
【００２７】
回転筒部Ｄ２は、シリンダー１０の係合リブ１７に当接すると、摺動外筒部Ｄ１の上昇に対して回転筒部Ｄ２の上昇が止められ、その位置で回転することとなり、摺動外筒部Ｄ１のみが上昇する。
【００２８】
摺動外筒部Ｄ１に対して回転筒部Ｄ２のみが回転することにより、容器の底部の底蓋Ｅの窓孔部４４を通して、図１（ｂ）に示す容器外部から視認できる表示指示部３８が指示している傾斜板２５裏面の表示２５Ａを、図５（ｂ）に示すように変えることとなる。
【００２９】
シリンダー１０の係合リブ１７に当接する回転筒部Ｄ２の底壁３６上面の傾斜突部３９の傾斜面３９ａが終了することで、摺動外筒部Ｄ１に対して回転筒部Ｄ２の回転が止まり、表示２５Ａの表示指示部３８が固定される。
また、その際、摺動外筒部Ｄ１の傾斜板２５の上面が、容器本体Ａ肩部２の内方下面に当接させるようにすれば、図６に示す状態となり、内容液の残量がない状態となる。
【００３０】
表示指示部３８が指示している表示２５Ａが、内容液の吸上げに応じて変えることにより、容器内の内容液の残量を容器外部から底蓋Ｅの窓孔部４４を通して視認することができる。
【実施例２】
【００３１】
前記実施例１では、回転筒部を回転させるようにしたが、内筒部を構成する回転筒部を一定角度位置に維持し、摺動外筒部を回転させるようにした第２実施例について説明する。
以下、相違点を中心に説明し、同一の構成部分については同一の符号に添字ａをもって図示し、簡単に説明する。
【００３２】
図７〜８に示すように、摺動底板Ｄａは、摺動外筒部Ｄ１ａと、摺動外筒部Ｄ１ａに嵌挿された内筒部Ｄ３とからなっている。
摺動外筒部Ｄ１ａは、傾斜板２５ａと弾性周壁２６ａ、内筒部Ｄ３が嵌挿される内周壁２７ａとから構成され、傾斜板２５ａの裏面には、内容液の残量を示す表示板２５Ａａが設けられている。
内周壁２７ａの下部には、縮径されたシール部３０ａが形成されており、内周壁２７ａの上端内周には、内筒部Ｄ３の抜け出しを防止するための係合突条５０が設けられ、内周面には、所定の角度範囲で螺旋状に延びる傾斜突条５１が設けられている。  
【００３３】
図９に示すように、内筒部Ｄ３は、筒壁３５ａと底壁３６ａとからなっており、筒壁３５ａの外周上端には、摺動外筒部Ｄ１ａの係合突条５０の下面に係合する係合突部５２が設けられている。
該係合突部５２の下方には、組立時に、摺動外筒部Ｄ１ａの係合突条５０と傾斜突条５１との間に位置し、傾斜突条５１の上端と係合する係合凸部５３が設けられており、筒壁３５ａの外周下端の所定位置には、表示指示部３８ａが配設されている。
【００３４】
底壁３６ａの上面には、摺動底板Ｄの上昇時に、シリンダー１０ａの係合リブ１７ａに係止される回転止めリブ５４が設けられている。
【００３５】
また、回転止めリブ５４に変え、シリンダー１０ａの係合リブ１７ａの先端が係止するとともに、係合リブ１７ａの高さより浅底の凹溝とすることもでき、シリンダー１０ａの下面と内筒部Ｄ３の回転を阻止するものであればよく、係合リブ、回転止めリブの形状、数、配列場所については、実施例、上記変形例に限定されない。
【００３６】
次に、本実施例の摺動底板Ｄａの作用効果について説明する。
前記第１実施例と同様に、内容物の吸上げにより摺動底板Ｄａが上昇し、所定の位置に達すると、図１０に示すように、摺動底板Ｄａの内筒部Ｄ３の底壁３６ａ上面が、シリンダー１０ａの係合リブ１７ａに接するとともに、回転止めリブ５４と係合リブ１７ａとが接合して、シリンダー１０ａ下面と底壁３６ａ上面との間に流路となる隙間が形成されるとともに、内筒部Ｄ３の回動が阻止される。
【００３７】
次いで、内容液の吸上げとともに、摺動外筒部Ｄ１ａが上昇し、内筒部Ｄ３の係合凸部５３と、摺動外筒部Ｄ１ａ内周壁２７ａの傾斜突条５１との係合により、摺動外筒部Ｄ１ａの上昇力が回転力として働き、摺動外筒部Ｄ１ａは、上昇と同時に回転する。
したがって、内筒部Ｄ３の表示指示部３８ａに対して、傾斜板２５ａ裏面の表示２５Ａａが移動し、指示された表示２５Ａａを容器外部から視認することができ、内容液の残量を知ることができる。
【００３８】
傾斜板２５ａが肩部２ａに接する位置では、係合凸部５３は、傾斜突条５１の下端部に係合するとともに、内容液の残量がなくなったことを示す表示２５Ａａが表示指示部３８ａと一致する位置に廻動され、内容物がなくなったことを認識することができる。
【００３９】
次に、内筒部の廻動を阻止するための変形実施例について説明する。
本実施例は、回り止めリブと、該回り止めリブに係合する係止リブをシリンダーの側周面と内筒部の内周面に設けたものである。
【００４０】
図１１に示すように、シリンダー１０ａの下面には係合リブ１７ａが設けられており、外周面下端部には、回り止めリブ５５が設けられている。
摺動底板Ｄａの内筒部Ｄ３筒壁３５ａ内周面には、回り止めリブ５５に係合される係止リブ５６が設けられている。
【００４１】
摺動底板Ｄａが上昇して所定の位置に達すると、シリンダー１０ａの係止リブ１７ａが、底壁３６ａに接合して流路が確保され、シリンダー１０ａ外周面の回り止めリブ５５と、係止リブ５６が係合して内筒部Ｄ３の廻動が阻止され、第２実施例と同様の作用効果を得ることができる。
【００４２】
上記各実施例では、底蓋に窓孔部を設けているが、底蓋を透明な合成樹脂によって成形して底板に空気孔を穿設するようにしてもよい。
【産業上の利用可能性】
【００４３】
本発明は、不透明な容器本体を具えたポンプ付底上げタイプの液注出容器において、摺動底板の上昇に伴い、摺動底板の底面に設けた内容液の残量を表示する表示の表示指示部が変更し、容器の底から視認することで内容液の一定の残量を知ることができ、新しい容器を求め、それとの交換を準備しておく時期がわかるようにしているので、収納した内容物にかかわらず、不透明な容器本体を具えた底上げタイプの液注出容器として、広く利用できる。
【図面の簡単な説明】
【００４４】
【図１】本発明第１実施例の液注出容器の説明図で、（ａ）は一部断面立面図、（ｂ）は底面図である。
【図２】シリンダーの説明図で、（ａ）は断面立面図、（ｂ）は底面図である。
【図３】摺動底板の摺動外筒部の説明図で、（ａ）は断面立面図、（ｂ）は底面図である。
【図４】摺動底板の回転筒部の説明図で、（ａ）は上面図、（ｂ）は断面立面図、（ｃ）は底面図である。
【図５】摺動底板の上昇時の説明図で、（ａ）は一部断面立面図、（ｂ）は底面図である。
【図６】摺動底板の最上昇位置における説明図で、（ａ）は一部断面立面図、（ｂ）は底面図である。
【図７】第２実施例の摺動底板の別実施例の説明図で、（ａ）は上面図、（ｂ）は断面立面図、（ｃ）は底面図である。
【図８】摺動外筒部の説明図で、（ａ）は上面図、（ｂ）は断面立面図である。
【図９】内筒部の説明図で、（ａ）は上面図、（ｂ）は断面立面図である。
【図１０】摺動底板の上昇時の説明図で、（ａ）は一部断面立面図、（ｂ）は底面図である。
【図１１】変形実施例の説明図である。
【符号の説明】
【００４５】
Ａ        容器本体
Ｂ        ポンプ
Ｃ        ノズルヘッド
Ｄ、Ｄａ  摺動底板
Ｄ１、Ｄ１ａ  摺動外筒部
Ｄ２      回転筒部
Ｄ３      内筒部
Ｅ        底蓋
１        口筒部
２、２ａ  肩部
３        胴周壁
４、１２  ねじ
５        取付部
１０、１０ａ  シリンダー
１１      ピストン
１３      ガイド筒
１４      取付キャップ
１５、３６    底壁
１６      吸込口
１７、１７ａ  係合リブ
１８      吸込弁
２０      ピストン弁
２１      ノズル
２２      取付筒
２３      スプリング
２５、２５ａ  傾斜板
２５Ａ、２５Ａａ  表示
２６、２６ａ  弾性周壁  
２７、２７ａ  内周壁
３０、３０ａ  シール部
３１、５０    係合突条
３５、３５ａ  筒壁
３６、３６ａ  底壁
３７、５２    係合突部
３８、３８ａ  表示指示部
３９、３９ａ  傾斜突部
３９ａ    傾斜面
４０      保持筒
４１      底板
４２      側周壁
４３      係合部
４４      窓孔部
４５、５１  傾斜突条
５３      係合凸部
５４      回転止めリブ
５５      回り止めリブ
５６      係止リブ
【図１】
2007119047.tif 000003
【図２】
2007119047.tif 000004
【図３】
2007119047.tif 000005
【図４】
2007119047.tif 000006
【図５】
2007119047.tif 000007
【図６】
2007119047.tif 000008
【図７】
2007119047.tif 000009
【図８】
2007119047.tif 000010
【図９】
2007119047.tif 000011
【図１０】
2007119047.tif 000012
【図１１】
2007119047.tif 000013